【事件の表示】
　特願２０００−　９１１７０「陰極線管並びに輝度制御装置および方法」拒絶査定不服審判事件〔平成１３年　２月２７日出願公開、特開２００１−　５６６５８〕について、次のとおり審決する。
【結　論】
　本件審判の請求は、成り立たない。
【理　由】
１．手続きの経緯
　本願は、平成１２年３月２９日（優先権主張；平成１１年６月７日）の出願であって、平成１６年３月１８日付け（発送日；同月２２日）で拒絶査定がなされ、これに対して、同年４月２０日に拒絶査定に対する審判請求がなされるとともに、同年５月１９日付けで手続補正がなされたものである。
　
２．平成１６年５月１９日付けの手続補正について
（１）補正の内容
　本件補正は、補正前の特許請求の範囲、
「【請求項１】　複数の電子ビームの走査によって形成される複数の分割画面を部分的に重複させて繋ぎ合わせることにより単一の画面を形成して、カラー画像表示を行うようにした陰極線管であって、
　入力された映像信号を前記複数の分割画面用の映像信号に分割する信号分割手段と、
　複数の信号レベルに応じた各色毎の複数の補正係数を格納する補正係数格納手段と、
　入力された映像信号の信号レベルを各色毎に検出する信号レベル検出手段と、
　前記信号レベル検出手段によって検出された信号レベルに基づいて、前記補正係数格納手段に格納された複数の補正係数の中から、輝度の変調制御に使用すべき最適な補正係数を各色毎に求める補正係数算出手段と、
　前記補正係数算出手段によって求められた各色毎の補正係数を用いて、前記各分割画面を繋ぎ合わせたときのその重複領域における各画素位置での輝度が、繋ぎ合わせを行う前の前記各分割画面における同一画素位置での輝度と同等になるように、前記複数の分割画面用の映像信号のそれぞれに対して、信号レベルに応じた制御を行う輝度変調手段と、
　前記輝度変調手段によって変調制御された後の映像信号に基づいて、前記複数の分割画面を走査する複数の電子ビームを放出する複数の電子銃と
　を備えたことを特徴とする陰極線管。
　　【請求項２】　前記補正係数格納手段には、信号レベルと水平方向の画素位置とに応じた複数の補正係数が格納され、
　前記補正係数算出手段は、水平方向の画素位置および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、水平方向の画素位置に応じた輝度の変調制御を行うことを特徴とする請求項１記載の陰極線管。
　　【請求項３】　前記補正係数格納手段には、信号レベル、水平方向の画素位置および垂直方向の画素位置に応じた複数の補正係数が格納され、
　前記補正係数算出手段は、水平方向の画素位置、垂直方向の画素位置および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、水平方向の画素位置および垂直方向の画素位置に応じた輝度の変調制御を行う
　ことを特徴とする請求項１記載の陰極線管。
　　【請求項４】　前記補正係数格納手段には、信号レベルと前記複数の電子銃の特性とに応じた複数の補正係数が格納され、
　前記補正係数算出手段は、前記複数の電子銃の特性および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、前記複数の電子銃の特性に応じた輝度の変調制御を行う
　ことを特徴とする請求項１記載の陰極線管。
　　【請求項５】　更に、入力された１次元的な映像信号を、離散化された２次元の画像データに変換する制御を行うと共に、画像表示を行ったときに、前記複数の分割画面が位置的に適正に繋ぎ合わされて表示される ように、前記２次元の画像データにおける画素の配列状態を、各分割画面および各色毎に時間的且つ空間的に変化させて補正した後、その補正後の画像データを、再び１次元的な映像信号に変換して出力する制御を行う位置制御手段
　を備えたことを特徴とする請求項１記載の陰極線管。
　　【請求項６】　複数の分割画面を部分的に重複させて繋ぎ合わせることにより単一の画面を形成するようにした画像表示装置に表示される画像の輝度制御を行うための輝度制御装置であって、
　入力された映像信号の信号レベルを検出する信号レベル検出手段と、
　複数の信号レベルに応じた複数の補正係数を格納する補正係数格納手段と、
　前記信号レベル検出手段によって検出された信号レベルに基づいて、前記補正係数格納手段に格納された複数の補正係数の中から、輝度の変調制御に使用すべき最適な補正係数を求める補正係数算出手段と、
　前記補正係数算出手段によって求められた補正係数を用いて、前記各分割画面を繋ぎ合わせたときのその重複領域における各画素位置での輝度が、繋ぎ合わせを行う前の前記各分割画面における同一画素位置での輝度と同等になるように、前記複数の分割画面用の映像信号のそれぞれに対して、信号レベルに応じた制御を行う輝度変調手段と
　を備えたことを特徴とする輝度制御装置。
　　【請求項７】　前記画像表示装置は、カラー画像表示を行うものであり、
　前記補正係数格納手段には、複数の信号レベルに応じた各色毎の複数の補正係数が格納され、
　前記信号レベル検出手段は、入力された映像信号の信号レベルを各色毎に検出するようになされ、
　前記補正係数算出手段は、前記輝度の変調制御に使用すべき最適な補正係数を各色毎に求めるようになされ、
　前記輝度変調手段は、前記補正係数算出手段によって求められた各色毎の補正係数を用いて、信号レベルに応じた輝度の制御を各色毎に行うようになされている
　ことを特徴とする請求項６記載の輝度制御装置。
　　【請求項８】　前記補正係数格納手段には、信号レベルと水平方向の画素位置とに応じた複数の補正係数が格納され、
　前記補正係数算出手段は、水平方向の画素位置および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、水平方向の画素位置に応じた輝度の変調制御を行う
　ことを特徴とする請求項７記載の輝度制御装置。
　　【請求項９】　前記補正係数格納手段には、信号レベル、水平方向の画素位置および垂直方向の画素位置に応じた複数の補正係数が格納され、
　前記補正係数算出手段は、水平方向の画素位置、垂直方向の画素位置および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、水平方向の画素位置および垂直方向の画素位置に応じた輝度の変調制御を行う
　ことを特徴とする請求項７記載の輝度制御装置。
　　【請求項１０】　前記画像表示装置は、複数の電子ビームを放射する複数の電子銃を備え、前記複数の電子銃から、前記輝度変調手段によって変調制御された後の映像信号に基づいて、前記複数の分割画面を走査する複数の電子ビームを放出して画像表示を行うようにした陰極線管であることを特徴とする請求項７記載の輝度制御装置。
　　【請求項１１】　前記補正係数格納手段には、信号レベルと前記複数の電子銃の特性とに応じた複数の補正係数が格納され、
　前記補正係数算出手段は、前記複数の電子銃の特性および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、前記複数の電子銃の特性に応じた輝度の変調制御を行うことを特徴とする請求項１０記載の輝度制御装置。
　　【請求項１２】　更に、入力された１次元的な映像信号を、離散化された２次元の画像データに変換する制御を行うと共に、画像表示を行ったときに、前記複数の分割画面が位置的に適正に繋ぎ合わされて表示されるように、前記２次元の画像データにおける画素の配列状態を、各分割画面毎に時間的且つ空間的に変化させて補正した後、その補正後の画像データを、再び１次元的な映像信号に変換して出力する制御を行う位置制御手段
　を備えたことを特徴とする請求項６記載の輝度制御装置。
　　【請求項１３】　複数の分割画面を部分的に重複させて繋ぎ合わせることにより単一の画面を形成するようにした画像表示装置に表示される画像の輝度制御を行うための輝度制御方法であって、
　入力された映像信号の信号レベルを検出するステップと、
　複数の信号レベルに応じた複数の補正係数を補正係数格納手段に格納するステップと、
　検出された信号レベルに基づいて、前記補正係数格納手段に格納された複数の補正係数の中から、輝度の変調制御に使用すべき最適な補正係数を求めるステップと、
　求められた補正係数を用いて、前記各分割画面を繋ぎ合わせたときのその重複領域における各画素位置での輝度が、繋ぎ合わせを行う前の前記各分割画面における同一画素位置での輝度と同等になるように、前記複数の分割画面用の映像信号のそれぞれに対して、信号レベルに応じた輝度の変調制御を行うステップと
　を含むことを特徴とする輝度制御方法。」
　を、
「【請求項１】　複数の分割画面を部分的に重複させて繋ぎ合わせることにより単一の画面を形成するようにした画像表示装置に表示される画像の輝度制御を行うための輝度制御装置であって、
　入力された映像信号の信号レベルを検出する信号レベル検出手段と、
　複数の信号レベルに応じた複数の補正係数を格納する補正係数格納手段と、
　前記信号レベル検出手段によって検出された信号レベルに基づいて、前記補正係数格納手段に格納された複数の補正係数の中から、輝度の変調制御に使用すべき最適な補正係数を求める補正係数算出手段と、
　前記補正係数算出手段によって求められた補正係数を用いて、前記各分割画面を繋ぎ合わせたときのその重複領域における各画素位置での輝度が、繋ぎ合わせのための輝度変調を行う前の個々の前記分割画面における、前記各画素位置に対応する画素位置での輝度と同等になるように、前記複数の分割画面用の映像信号のそれぞれに対して、信号レベルに応じた制御を行う輝度変調手段と
　を備えたことを特徴とする輝度制御装置。
　　【請求項２】　前記画像表示装置は、カラー画像表示を行うものであり、
　前記補正係数格納手段には、複数の信号レベルに応じた各色毎の複数の補正係数が格納され、
　前記信号レベル検出手段は、入力された映像信号の信号レベルを各色毎に検出するようになされ、
　前記補正係数算出手段は、前記輝度の変調制御に使用すべき最適な補正係数を各色毎に求めるようになされ、
　前記輝度変調手段は、前記補正係数算出手段によって求められた各色毎の補正係数を用いて、信号レベルに応じた輝度の制御を各色毎に行うようになされている
　ことを特徴とする請求項１記載の輝度制御装置。
　　【請求項３】　前記補正係数格納手段には、信号レベルと水平方向の画素位置とに応じた複数の補正係数が格納され、
　前記補正係数算出手段は、水平方向の画素位置および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、水平方向の画素位置に応じた輝度の変調制御を行う
　ことを特徴とする請求項２記載の輝度制御装置。
　　【請求項４】　前記補正係数格納手段には、信号レベル、水平方向の画素位置および垂直方向の画素位置に応じた複数の補正係数が格納され、
　前記補正係数算出手段は、水平方向の画素位置、垂直方向の画素位置および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、水平方向の画素位置および垂直方向の画素位置に応じた輝度の変調制御を行う
　ことを特徴とする請求項２記載の輝度制御装置。
　　【請求項５】　前記画像表示装置は、複数の電子ビームを放射する複数の電子銃を備え、前記複数の電子銃から、前記輝度変調手段によって変調制御された後の映像信号に基づいて、前記複数の分割画面を走査する複数の電子ビームを放出して画像表示を行うようにした陰極線管であることを特徴とする請求項２記載の輝度制御装置。
　　【請求項６】　前記補正係数格納手段には、信号レベルと前記複数の電子銃の特性とに応じた複数の補正係数が格納され、
　前記補正係数算出手段は、前記複数の電子銃の特性および前記信号レベル検出手段によって検出された信号レベルに基づいて、前記補正係数格納手段に格納された複数の補正係数の中から、輝度の変調制御に使用すべき最適な補正係数を各色毎に求め、
　前記輝度変調手段は、前記補正係数算出手段によって求められた補正係数を用いて、前記複数の分割画面用の映像信号のそれぞれに対して、前記複数の電子銃の特性に応じた輝度の変調制御を行う
　ことを特徴とする請求項５記載の輝度制御装置。
　　【請求項７】　更に、入力された１次元的な映像信号を、離散化された２次元の画像データに変換する制御を行うと共に、画像表示を行ったときに、前記複数の分割画面が位置的に適正に繋ぎ合わされて表示されるように、前記２次元の画像データにおける画素の配列状態を、各分割画面毎に時間的且つ空間的に変化させて補正した後、その補正後の画像データを、再び１次元的な映像信号に変換して出力する制御を行う位置制御手段
　を備えたことを特徴とする請求項１記載の輝度制御装置。
　　【請求項８】　複数の分割画面を部分的に重複させて繋ぎ合わせることにより単一の画面を形成するようにした画像表示装置に表示される画像の輝度制御を行うための輝度制御方法であって、
　入力された映像信号の信号レベルを検出するステップと、
　複数の信号レベルに応じた複数の補正係数を補正係数格納手段に格納するステップと、
　検出された信号レベルに基づいて、前記補正係数格納手段に格納された複数の補正係数の中から、輝度の変調制御に使用すべき最適な補正係数を求めるステップと、
　求められた補正係数を用いて、前記各分割画面を繋ぎ合わせたときのその重複領域における各画素位置での輝度が、繋ぎ合わせのための輝度変調を行う前の個々の前記分割画面における、前記各画素位置に対応する画素位置での輝度と同等になるように、前記複数の分割画面用の映像信号のそれぞれに対して、信号レベルに応じた輝度の変調制御を行うステップと
　を含むことを特徴とする輝度制御方法。」
　と補正する内容を含むものである。
　
（２）補正の適否
　上記補正は、願書に最初に添付した明細書等に記載した事項の範囲内でなされたものであり、補正前の請求項１乃至５を削除し、補正前の請求項６及び１３を補正後の請求項１及び８とするとともに、補正前の請求項６を直接的又は間接的に引用する補正前の請求項７乃至１２を、補正後の請求項１を直接的又は間接的に引用する補正後の請求項２乃至７としたものであり、また、補正後の請求項１及び８に関する補正の内容は、拒絶理由通知に係る拒絶の理由に示す事項についてした明りょうでない記載の釈明に相当するものと認められる。
　
（３）むすび
　以上のとおりであるから、本件補正は、特許法第１７条の２第３項並びに同第４項第１号及び第４号の規定に適合するものである。
　
３．本願発明
　平成１６年５月１９日付けの手続補正は、上記のとおり、適法になされたものと認められるので、本願の請求項１乃至８に係る発明は、平成１５年４月２８日付け及び平成１６年５月１９日手続補正書により補正された明細書及び図面の記載からみて、その特許請求の範囲の請求項１乃至８に記載された事項により特定されるとおりのものと認められるところ、その請求項１に係る発明（以下、「本願発明」という。）は、前記「２．（１）」の補正後の特許請求の範囲の請求項１に記載されたとおりのものである。
　
４．引用刊行物 
４−１．刊行物１
　原査定の拒絶の理由に引用された本願の優先権主張の日前に頒布された刊行物である特公昭５４−２３７６２号公報（以下、「刊行物１」という。）には、図面とともに、次の事項が記載されている。
１ａ．「各映出面の端部が光学的に重なりをもつように配置された複数個の陰極線管と、前記各陰極線管に、それぞれ対応する部分の映像信号を印加する映像ゲート手段と、隣接する映出面の互いに重なり合う端部に相当する映像信号を、陰極線管のガンマ特性を略補正するようにその映像信号の振幅を一方で減少させ一方で増加させる形状で前記映像ゲート手段を駆動するゲート信号発生手段を備えたことを特徴とする画像映出装置。」（「特許請求の範囲」）
１ｂ．「２つの陰極線管２，３の画面の継目の状態を第３図に示す。第３図ａは２つの陰極線管のゲート信号を加え合わせたもので、点線は陰極線管２、一点鎖線は陰極線管３、実線は２つの信号が電気的に加え合わされたものを示している。この図ａに示すように陰極線管２，３が入力信号電圧に比例して光れば画面上の継目は平坦となり目立たない。しかし陰極線管の入力電圧対発光出力特性は直線的ではなく、第４図に示すようにいわゆるガンマ特性を持つので、第３図ａのような入力信号があつた時、発光出力は第３図ｂの点線及び一点鎖線の如くガンマ特性を持ち、従つてハーフミラー１で合成された画面上では実線で示したように継目が平坦でなく暗くなる。これは陰極線管を用い、画面の継目を第２図のように切換える場合に本質的に現れる現象である。」（１ページ右欄（２欄）２６行〜２ページ左欄（３欄）４行）
１ｃ．「本発明は上記欠点を合成像における継目部に対応する部分のゲート信号を補正することにより改良するものである。・・・第１の実施例は第５図ａに示すようにゲート信号にガンマ補正を行なうことによる。即ち第２図に示したゲート信号を第６図に示す特性を持つガンマ補正回路を通すことにより第５図ａの点線及び一点鎖線に示すようなゲート信号を得ることができる。このゲート信号を電気的に加え合わせると第５図ａの実線で示す如く継目がふくれた信号となるが、画面上ではガンマ特性がかかり第５図ｂに示すように平坦な特性となる。このような動作を行わせることができる装置を第７図に示す。１１は映像信号入力端子、１２ａ，１２ｂは映像ゲート回路、１３ａ，１３ｂは映像出力回路、１４ａ，１４ｂは陰極線管、１５ａ，１５ｂはゲート信号のガンマ補正回路、１６ａ，１６ｂはゲート信号発生回路、１７は同期信号発生回路である。符号１２〜１６に示したものと同じ回路が陰極線管の数だけ存在する。・・・映像信号はゲート回路１２ａ，１２ｂに入る。一方ゲート信号は回路１７で発生される同期信号によりゲート信号発生回路１６ａにて例えば第２図ａに示すゲート信号が発生され、ゲート信号発生回路１６ｂは同図ｂのゲート信号を発生する。これらのゲート信号はガンマ補正回路１５ａ，１５ｂを通り第５図ａで説明したようなゲート信号となる。このゲート信号は映像ゲート回路１２ａ，１２ｂのゲート信号入力端子に加えられる。映像ゲート回路１２ａ，１２ｂはゲート入力端子に加えられる電圧に比例して映像信号のゲインを制御するもので、従つてゲート信号に対応した映像出力信号となり、映像出力回路１３ａ，１３ｂにより増幅され、陰極線管１４ａ，１４ｂに加えられる。このようにすれば、ハーフミラー１で合成された画面の陰極線管の継目は極めて自然な感じとなる。」（２ページ左欄（３欄）５行〜右欄（４欄）１行）
　
４−２．刊行物２
　原査定の拒絶の理由に引用された本願の優先権主張の日前に頒布された刊行物である特開平１１−１１３０１９号公報（以下、「刊行物２」という。）には、図面とともに、次の事項が記載されている。
２ａ．「【０００４】このようにして投影型テレビジョン受像機等では、液晶板７０の各ＬＣＤパネル７０Ｒ，７０Ｇ，７０ＢにそれぞれＲ，Ｇ，Ｂ光が照射され、その透過光がスクリーン等に投影されることになる。
【０００５】ところが、上記したような液晶プロジェクタの信号系の回路ブロックは、全ての信号をアナログ的に処理するものとされているため、例えばホワイトバランス調整部３０で色温度を調整するための調整値やガンマ補正部４０でγ補正を行うための補正値が画面全体で同じ調整値、補正値を用いて処理するようにしているため、液晶板７０に設けられているＬＣＤパネル７０Ｒ，７０Ｇ，７０Ｂの製造バラツキや投射ランプに起因して発生する輝度や色度ムラといった、いわゆるユニフォミティのあばれを改善する効果はない。
【０００６】そこで、上記したようなユニフォミティのあばれを改善することができるＲＧＢ板式液晶ブロジェクタの信号系の回路ブロックが提案されており、図９にそのブロック図を示す。また、図１１に一般的なＬＣＤ（liquid crystal display）パネルの入力電圧Ｖと透過率Ｔの関係を示す。
【０００７】この図９において、図示しない前段ブロックから入力される各色のアナログ映像信号Ｒ，Ｇ，Ｂは、Ａ／Ｄ変換部１０の各Ａ／Ｄ変換器１０Ｒ，１０Ｇ，１０Ｂでそれぞれデジタル映像信号に変換され、上記図８と同様にユーザコントロール部２０でコントラストや輝度が調整されて使用者の好みに合った画像信号が形成される。そして、ホワイトバランス調整部３０ではデジタル信号にて色温度の調整が行われると共に、ガンマ補正部４０では例えば図１１に示すようなＶ−Ｔ特性と逆の特性カーブのデータを持つルックアップテーブル４２Ｒ，４２Ｇ，４２Ｂからデータを読み出しγ補正をかけるようにしている。
【０００８】上記ホワイトバランス調整部３０やガンマ補正部４０で調整や補正を行うための補正データは、破線で示した２次元補間部１００で演算した補正データが用いられている。この２次元補間部１００には、位置ブロックアドレス記憶部１０１、補正値記憶部１０２、位置ブロック特定処理部１０３、４点補正値抽出部１０４、位置ブロック内座標特定部１０５、２次元補間処理部１０６によって構成される。位置ブロックアドレス記憶部１０１には、例えば図１０に示すような表示画面７０のブランキング部７１を除いた有効画面７２を水平方向にｍ分割すると共に、垂直方向にｎ分割した時に、その交点（ｍ＋１）＊（ｎ＋１）個の座標アドレスが予め記憶されている。また、補正値記憶部１０２には、この（ｍ＋１）＊（ｎ＋１）個の交点における補正値が記憶されている。
【０００９】このように２次元補間部１００は、位置ブロックアドレス記憶部１０１に交点（ｍ＋１）＊（ｎ＋１）個の座標アドレスを記憶させておくと共に、補正値記憶部１０２に（ｍ＋１）＊（ｎ＋１）個の交点における補正値を記憶させておくことで、任意の画素における補正値を求めるようにしている。すなわち、例えば図１０に示す画素Ｇ（Ｘ，Ｙ）における補正値を求める場合は、先ず位置ブロック特定処理部１０３において、この画素Ｇがどの位置ブロックに含まれるかを特定し、その特定したブロックに含まれる４点の補正値が補正値記憶部１０２から４点補正値抽出部１０４に呼び出される。
【００１０】位置ブロック内座標特定部１０５は、位置ブロック特定処理部１０３で位置ブロックが特定された画素Ｇ（Ｘ，Ｙ）が、その位置ブロックのどの場所に存在するかを判別しており、２次元補間処理部１０６では、位置ブロック内座標特定部１０５の判別結果と、４点補正値抽出部１０５に呼び出された４つの補正値に基づいて２次元的に補間する補間データを演算することになる。
【００１１】このようにして２次元補間部１００で得られた補間データを、ホワイトバランス調整部３０やガンマ補正部４０のパラメータとして利用することで、表示画面７０の有効画面７２内においては、画素Ｇの位置に応じて輝度や色度ムラを補正することができるため、上記図８に示したようなＲＧＢ３板式液晶ブロジェクタの信号系の回路ブロックと比較して画質の向上を図ることができるという利点がある。」
２ｂ．「【００２２】２次元補間部１は、後述するように入力される水平同期信号H.SYNC、垂直同期信号V.SYNC及びクロックＣＬＫに基づいて任意の画素Ｇ（Ｘ，Ｙ）における２次元補間データＣ（Ｘ，Ｙ）を演算し、その２次元補間データＣ（Ｘ，Ｙ）を上記ホワイトバランス調整部３０のゲイン回路３１やバイアス回路３２、ガンマ補正部４０のルックアップテーブル４２に対して供給するようにされている。また、２次元補間部１には予め輝度や色度ムラの補正が必要とされる中心位置座標データ、補正範囲の座標データ、補正中心位置座標における補正データなどが供給されてメモリ等に格納されている。」
２ｃ．「【００４９】また、２次元補間部１で得られた補正関数Ｃ（Ｘ，Ｙ）は、上記ホワイトバランス調整部３０への適用と全く同じようにして、ガンマ補正部４０にも適用することが可能である。なお、ガンマ補正部４０では、図１に示したＬＣＤパネル７０の入力電圧Ｖ−透過率Ｔの特性を補正するものであり、例えば図５に示すような特性として示されるものである。
【００５０】ここで、ガンマ補正部４０に入力される入力信号のレベルをＺ、ガンマ補正部４０から出力される信号のレベルをΓとすると、ΓはＺの関数Γ（Ｚ）で示され、上記２次元補間部１で得られた補正関数Ｃ（Ｘ，Ｙ）、Ｃ’（Ｘ，Ｙ）を適用した場合のガンマ補正部４０の出力δは、
　δ（Ｘ，Ｙ，Ｚ）＝（１＋ｐＣ（Ｘ，Ｙ））Γ（Ｚ）＋ｑＣ’（Ｘ，Ｙ）
　（但し、ｐ、ｑは定数）
と示されることになる。
【００５１】つまり、ガンマ補正関数δは、入力信号レベルＺと有効画面７２内の位置（Ｘ，Ｙ）の関数となり、位置によってガンマ補正が変化して局所的にＬＣＤパネル７０のＶ−Ｔ特性を変化させることが出来るようになる。」
２ｄ．「【００６３】ここで、３次元補間部で得られた位置（Ｘ，Ｙ，Ｚ）を変数に持つ補正関数Ｃ（Ｘ，Ｙ，Ｚ）を用いて、図１に示したガンマ補正部４０を補正することを考えた場合、ガンマ補正部４０の出力Γは入力信号Ｚの関数Γ（Ｚ）で表わされる。よって、上記したような３次元補間部で得られる３次元補正関数Ｃ（Ｘ，Ｙ，Ｚ）を適用した場合のガンマ補正部４０の出力をδとすると、ガンマ補正部４０の出力δは、
　δ（Ｘ，Ｙ，Ｚ）＝Γ（Ｚ）＋ｐＣ（Ｘ，Ｙ，Ｚ）　（但し、ｐは定数）
として示すことができる。
【００６４】つまり、３次元補間を行えば、γ補正関数δは位置座標（Ｘ，Ｙ）によって補正をかけることができるだけでなく、信号レベルＺ（２０ＩＲＥ〜５０ＩＲＥ）だけで補正をかけることが可能になり、例えば図７に示すように画素Ｇの位置と信号レベルによって異なるガンマ補正を行うといったことができるようになる。
【００６５】なお、本実施の形態においては、２次元補間部１又は３次元補間部を、投射型テレビジョン受像機に搭載される液晶プロジェクタの信号系に適用した場合について説明したが、これに限定されることなく、例えばＣＲＴ（Cathode Ray Tube）、ＰＤＰ（Plasma  Display Panel ），ＰＡＬＣ（Plasma Addressed Liquid Crystal ）など各種画像表示装置に適用することが可能である。」
　
５．対比・判断
　前記刊行物１には、「４−１．」の「１ａ．」乃至「１ｃ．」の記載から次の発明（以下、「引用発明」という。）が記載されているものと認められる。
「各映出面の端部が光学的に重なりを持つように配置された複数個の陰極線管により合成された合成像における継ぎ目部が暗くならないように補正する画像映出装置であって、隣接する映出面の互いに重なり合う端部に相当する映像信号を、陰極線管のガンマ特性を略補正するようにその映像信号の振幅を一方で減少させ一方で増加させる形状で、各陰極線管に映像信号を印加するための映像ゲート手段を駆動するゲート信号発生手段を備えたことを特徴とする画像映出装置。」
　
　本願発明（前者）と上記引用発明（後者）とを対比する。
・後者の「各映出面の端部が光学的に重なりを持つように配置された複数個の陰極線管により合成された合成像における継ぎ目部が暗くならないように補正する画像映出装置」は、合成像の継ぎ目部が暗くならないようにするために画像の輝度制御をおこなうものであるから、前者の「複数の分割画面を部分的に重複させて繋ぎ合わせることにより単一の画面を形成するようにした画像表示装置に表示される画像の輝度制御を行うための輝度制御装置」に相当する。
・後者の「隣接する映出面の互いに重なり合う端部に相当する映像信号を、陰極線管のガンマ特性を略補正するようにその映像信号の振幅を一方で減少させ一方で増加させる形状で、各陰極線管に映像信号を印加するための映像ゲート手段を駆動するゲート信号発生手段」は、その構成からみて映像信号のレベルに応じた補正がなされているものと解されるから、前者の「補正係数算出手段によって求められた補正係数を用いて、各分割画面を繋ぎ合わせたときのその重複領域における各画素位置での輝度が、繋ぎ合わせのための輝度変調を行う前の個々の前記分割画面における、前記各画素位置に対応する画素位置での輝度と同等になるように、前記複数の分割画面用の映像信号のそれぞれに対して、信号レベルに応じた制御を行う輝度変調手段」と、上記相当関係も勘案すれば、「各分割画面を繋ぎ合わせたときのその重複領域における各位置での輝度が、繋ぎ合わせのための輝度変調を行う前の個々の前記分割画面における、前記各位置に対応する位置での輝度と同等になるように、前記複数の分割画面用の映像信号のそれぞれに対して、信号レベルに応じた制御を行う輝度調整手段」である点で、共通する。
　したがって、両者は、
「複数の分割画面を部分的に重複させて繋ぎ合わせることにより単一の画面を形成するようにした画像表示装置に表示される画像の輝度制御を行うための輝度制御装置であって、
　前記各分割画面を繋ぎ合わせたときのその重複領域における各位置での輝度が、繋ぎ合わせのための輝度変調を行う前の個々の前記分割画面における、前記各位置に対応する位置での輝度と同等になるように、前記複数の分割画面用の映像信号のそれぞれに対して、信号レベルに応じた制御を行う輝度調整手段
　を備えたことを特徴とする輝度制御装置。」
　の点の構成で一致し、以下の点で相違する。
［相違点１］
　前者が、重複領域における各画素位置での輝度が、繋ぎ合わせのための輝度変調を行う前の個々の前記分割画面における、前記各画素位置に対応する画素位置での輝度と同等になるようにしているのに対し、後者には、画素位置に関する記載がない点。
［相違点２］
　前者が、入力された映像信号の信号レベルを検出する信号レベル検出手段と、複数の信号レベルに応じた複数の補正係数を格納する補正係数格納手段と、前記信号レベル検出手段によって検出された信号レベルに基づいて、前記補正係数格納手段に格納された複数の補正係数の中から、輝度の変調制御に使用すべき最適な補正係数を求める補正係数算出手段を備え、この補正係数により輝度調整を行うのに対し、後者には、この点についての記載がない点。
　
　上記各相違点について検討する。
［相違点１］について
　重複領域における各画素位置での輝度が、繋ぎ合わせのための輝度変調を行う前の個々の前記分割画面における、前記各画素位置に対応する画素位置での輝度と同等になるように制御することは、例えば、本願明細書において【従来の技術】として記載されている特開平５−３００４５２号公報にも示されており、従来周知のことと認められる。
　したがって、このような従来周知の事項を勘案すれば、相違点１に係る構成に格別の特徴は認められない。
［相違点２］について
　前記特開平５−３００４５２号公報には、重複領域における輝帯や継目の発生を防止するために、各画素の輝度を調整する平滑ファクタを、その格納手段から読み出すことが示されており、重複領域の輝度むらの発生を防止するための補正係数格納手段を設けることは、従来周知の事項と認められる。
　また、前記刊行物２には、各画素毎のガンマ補正等のために、入力された映像信号の信号レベルを検出し、信号レベルに応じた補正データを格納している３次元補間部を用いて、前記信号レベルに基づいて使用すべき補正データを求める点が示されている（特に、「４−２．」の「２ｃ．」及び「２ｄ．」の記載参照。）。
　そうすると、このような周知事項及び刊行物２に記載された事項を勘案すれば、これらを本願発明に適用して、信号レベルに応じた補正係数を格納した補正係数格納手段から、検出された信号レベルに基づいて補正係数を読み出すようにし、相違点２に係る構成とすることは、当業者が格別の推考力を要することとは認められない。
 
　そして、本願発明による効果も、刊行物１及び２の記載並びに周知事項から当業者が予測しうる範囲内のものにすぎない。
  したがって、本願発明は、引用発明及び刊行物２に記載された発明並びに周知事項に基づいて当業者が容易に発明をすることができたものである。
　
６．むすび
　以上のとおりであるから、本願の請求項１に係る発明（本願発明）は、特許法第２９条第２項の規定により特許を受けることができない。、
　そして、本願の請求項１に係る発明が特許を受けることができないものであるから、その余の請求項に係る発明について検討するまでもなく、本願は拒絶すべきものである。
　よって、結論のとおり審決する。